(57)【要約】【課題】外部マイクロフォンの故障を防止できる電源供給装置、音響装置、プロジェクタ、及び電源供給方法を提供すること。【解決手段】マイクジャック５２に接続された音声信号線５６に対してバイアス抵抗５１３を介して接続され、バイアス抵抗５１３、音声信号線５６、及びマイクジャック５２を介して外部マイクロフォン１０に電力を供給する電源装置５１１と、電源装置５１１から外部マイクロフォン１０に電力供給をＯＮまたはＯＦＦする電源切換スイッチ５１２と、電源装置５１１からの電力供給がＯＮの状態で音声信号線５６の電圧レベルを検出するＡ／Ｄコンバータ５１４と、Ａ／Ｄコンバータ５１４の検出結果に応じて、電源切換スイッチ５１２を制御するマイコン５１５とを備える。【選択図】図２
2010124098.tif 000002
【特許請求の範囲】
【請求項１】
マイクジャックに接続された音声信号線を介して外部マイクロフォンに電力を供給する電源装置と、
前記電源装置の電力供給をＯＮまたはＯＦＦする切換装置と、
前記電源装置からの電力供給がＯＮの状態で前記音声信号線の電圧レベルを検出する電圧レベル検出装置と、
前記電圧レベル検出装置の検出結果に応じて、前記切換装置を制御する制御装置とを備える
ことを特徴とする電源供給装置。
【請求項２】
請求項１に記載の電源供給装置において、
前記マイクジャックと前記外部マイクロフォンとの接続状態を検出する接続検出装置を備え、
前記制御装置は、
前記マイクジャックに前記外部マイクロフォンが接続されていることを検出した場合に、前記切換装置を制御し、前記電源装置からの電力供給をＯＮさせる
ことを特徴とする電源供給装置。
【請求項３】
請求項１または請求項２に記載の電源供給装置において、
前記電源装置はスイッチング素子を備え、
前記制御装置は、前記スイッチング素子を制御することによって、前記電源装置の電源電圧を徐々に立ち上げる
ことを特徴とする電源供給装置。
【請求項４】
請求項１または請求項２に記載の電源供給装置において、
前記電源装置の電源電圧を徐々に立ち上げる積分器を備える
ことを特徴とする電源供給装置。
【請求項５】
外部マイクロフォンが接続されるマイクジャックを備えた音響装置であって、
請求項１から請求項４のいずれかに記載の電源供給装置を備える
ことを特徴とする音響装置。
【請求項６】
光源装置と、前記光源装置から射出された光束を画像情報に応じて変調して画像光を形成する光変調装置と、前記画像光を拡大投射する投射光学装置とを備えたプロジェクタであって、
請求項５に記載の音響装置を備える
ことを特徴とするプロジェクタ。
【請求項７】
マイクジャックに接続された音声信号線を介して外部マイクロフォンに電力を供給する電源装置と、前記電源装置からの電力供給をＯＮまたはＯＦＦする切換装置とを備えた電源供給装置を利用した電源供給方法であって、
前記電源装置からの電力供給がＯＮの状態で前記音声信号線の電圧レベルを検出する電圧レベル検出ステップと、
前記電圧レベルの検出結果に応じて、前記切換装置を制御する切換制御ステップとを備える
ことを特徴とする電源供給方法。
【発明の詳細な説明】
【技術分野】
【０００１】
本発明は、電源供給装置、音響装置、プロジェクタ、及び電源供給方法に関する。
【背景技術】
【０００２】
従来、マイクジャックに接続される外部マイクロフォンとしてのマイクの種類には、大きく分けて、ダイナミックマイク及びコンデンサマイクの２種類がある。これらのマイクのいずれか一方をジャック部（マイクジャック）に接続して、スピーカ等から音声を出力していることが知られている（例えば、特許文献１参照）。
ところで、コンデンサマイクは、電源を必要とする仕様であるのに対して、ダイナミックマイクは、電源を必要としない仕様である。
【０００３】
【特許文献１】特開平８−３２１１６４号公報
【発明の開示】
【発明が解決しようとする課題】
【０００４】
しかしながら、特許文献１に記載の発明では、１つのマイクジャックに対して、コンデンサマイク及びダイナミックマイクのいずれも接続可能としているため、電源が供給されているマイクジャックにダイナミックマイクを接続すると、故障する虜があった。特に、大きな会場や外出先など、手持ちの機材だけでプレゼンテーションを行うことが難しい場合は、必要な機材を現地で調達する必要があるため、故障の虞がさらに増大する。
【０００５】
本発明の目的は、外部マイクロフォンの故障を確実に防止できる電源供給装置、音響装置、プロジェクタ、及び電源供給方法を提供することにある。
【課題を解決するための手段】
【０００６】
本発明の電源供給装置は、マイクジャックに接続された音声信号線を介して外部マイクロフォンに電力を供給する電源装置と、前記電源装置の電力供給をＯＮまたはＯＦＦする切換装置と、前記電源装置からの電力供給がＯＮの状態で前記音声信号線の電圧レベルを検出する電圧レベル検出装置と、前記電圧レベル検出装置の検出結果に応じて、前記切換装置を制御する制御装置とを備えることを特徴とする。
【０００７】
ところで、マイクジャックにダイナミックマイク、またはコンデンサマイクが接続される場合、両者のインピーダンス値が大きく異なるため、音声信号線の電圧レベルに電圧差が生じることとなる。そこで、電圧レベルに電圧差が生じる点に着目すれば、ダイナミックマイクかコンデンサマイクかを判別できる。
本発明によれば、電圧レベル検出装置は、音声信号線の電圧レベルを検出して、この検出結果に応じて、制御装置は、外部マイクロフォンに電源装置からの電力を供給するか否かを切換装置で切り換える。このことにより、電源を必要としないダイナミックマイクがマイクジャックに接続された場合、制御装置は、切換装置をＯＦＦに切り換えるので、ダイナミックマイクに電源を供給することを防止し、外部マイクロフォンの故障を確実に防止できる。
【０００８】
本発明では、前記マイクジャックと前記外部マイクロフォンとの接続状態を検出する接続検出装置を備え、前記制御装置は、前記マイクジャックに前記外部マイクロフォンが接続されていることを検出した場合に、前記切換装置を制御し、前記電源装置からの電力供給をＯＮさせることが好ましい。
本発明によれば、マイクジャックに外部マイクロフォンが接続されている場合にのみ、外部マイクロフォンに電力を供給することができ、常時、電力を供給する必要がなく、電力を効率的に供給できる。
【０００９】
本発明では、前記電源装置はスイッチング素子を備え、前記制御装置は、前記スイッチング素子を制御することによって、前記電源装置の電源電圧を徐々に立ち上げることが好ましい。
電源装置としては、スイッチング素子を駆動するパルスのデューティ比によって出力を可変制御できるＤＣ／ＤＣコンバータを採用することができる。
本発明によれば、電力を供給する際に、制御装置は、スイッチング素子を駆動するパルスのデューティ比を制御することによって電源電圧を徐々に立ち上げるので、急激に電力が外部マイクロフォンに供給されることを防止して、外部マイクロフォンの故障を確実に防止できる。
【００１０】
本発明では、前記電源装置の電源電圧を徐々に立ち上げる積分器を備えることが好ましい。
積分器としては、例えば、所定の時定数を有するＲＣ回路を採用することができる。
本発明によれば、切替装置をＯＮにした直後に、電源供給装置の出力電圧が急激に立ち上がることがないので、外部マイクロフォンを傷めることなくマイクロフォンの種別を判定することができる。
【００１１】
本発明の音響装置は、外部マイクロフォンが接続されるマイクジャックを備えた音響装置であって、請求項１から請求項４のいずれかに記載の電源供給装置を備えることを特徴とする。
本発明によれば、音響装置は、前述の電源供給切換装置を備えるので、前述の電源供給切換装置と同様の効果を奏することができる。
【００１２】
本発明のプロジェクタは、光源装置と、前記光源装置から射出された光束を画像情報に応じて変調して画像光を形成する光変調装置と、前記画像光を拡大投射する投射光学装置とを備えたプロジェクタであって、請求項５に記載の音響装置を備えることを特徴とする。
本発明によれば、プロジェクタは、前述の音響装置を備えるので、前述の電源供給切換装置と同様の効果を奏することができる。
【００１３】
本発明の電源供給切換方法は、マイクジャックに接続された音声信号線を介して外部マイクロフォンに電力を供給する電源装置と、前記電源装置からの電力供給をＯＮまたはＯＦＦする切換装置とを備えた電源供給装置を利用した電源供給方法であって、前記電源装置からの電力供給がＯＮの状態で前記音声信号線の電圧レベルを検出する電圧レベル検出ステップと、前記電圧レベルの検出結果に応じて、前記切換装置を制御する切換制御ステップとを備えることを特徴とする。
本発明によれば、前述の電源供給切換装置と同様の効果を奏することができる。
【発明を実施するための最良の形態】
【００１４】
［第１実施形態］
以下、本発明の第１実施形態を図面に基づいて説明する。
［プロジェクタの概略構成］
図１は、本実施形態に係るプロジェクタ１を概略的に示すブロック図である。
プロジェクタ１は、光源装置２と、光変調装置３と、投射光学装置としての投射レンズ４と、音響装置５とで概略構成される。このプロジェクタ１は、光源装置２から射出された光束を光変調装置３で変調して画像光を形成し、投射レンズ４が当該画像光をスクリーン等の投射面上に拡大投射するものである。
【００１５】
光源装置２は、高圧水銀ランプ等の光源ランプ或いはＬＥＤ等の固体光源と、反射鏡であるリフレクタとを備え、光変調装置３に光束を照射する。
光変調装置３は、図示を省略するが、光源装置２から射出された光束を変調して画像光を形成する液晶パネルと、入力される駆動信号に応じて液晶パネルを駆動するドライバとを備えて構成されている。なお、光変調装置３は、液晶パネルを備える構成に限定されるものではなく、例えば、マイクロミラーを用いたデバイス等、液晶以外の構成を採用してもよい。
投射レンズ４は、光変調装置３により形成された画像光を投射面上に拡大投射するものであり、鏡筒と、当該鏡筒内に収納される複数のレンズとを備えた組レンズとして構成されている。
【００１６】
［音響装置の構成］
図２は、音響装置５の回路構成を示した図である。
音響装置５は、図１及び図２に示すように、電源供給装置５１と、マイクジャック５２と、コンデンサ５３と、マイクアンプ５４と、音声処理装置５５とで概略構成され、音声信号線５６によって各部材５１〜５５が接続される。この音響装置５は、マイクジャック５２に接続された外部マイクロフォン１０から出力された音声信号を音声処理装置５５で処理して、図示しないスピーカ等から音声信号に応じた音声を出力するものである。
ここで、外部マイクロフォン１０は、例えば、ダイナミックマイクまたはコンデンサマイクである。
【００１７】
電源供給装置５１は、外部マイクロフォン１０の種別に応じて、外部マイクロフォン１０に電力供給をＯＮまたはＯＦＦする。この電源供給装置５１の詳細については、後述する。
マイクジャック５２は、外部マイクロフォン１０を接続し、音声信号線５６に接続される。このマイクジャック５２は、外部マイクロフォン１０に入力される音声を音声信号として音声信号線５６へ出力する。
【００１８】
コンデンサ５３は、カップリングコンデンサと呼ばれるものであり、音声信号線５６に入力される音声信号に含まれる直流成分を遮断するものである。これにより、音声信号線５６の後段に接続されるスピーカの故障を防止している。
マイクアンプ５４は、外部マイクロフォン１０から出力される音声信号を増幅して、音声処理装置５５を介して、スピーカから音声を出力する。
音声処理装置５５は、マイクジャック５２に接続された外部マイクロフォン１０から入力された音声信号を処理して、スピーカに出力する。
【００１９】
［電源供給装置の構成］
電源供給装置５１は、図２に示すように、電源装置５１１と、切換装置としての電源切換スイッチ５１２と、バイアス抵抗５１３と、電圧レベル検出装置としてのＡ／Ｄコンバータ（以下、ＡＤＣと記載）５１４と、制御装置としてのマイコン５１５とを備える。
【００２０】
本実施形態において、電源装置５１１は、スイッチング素子５１１１を備えたＤＣ／ＤＣコンバータであり、外部マイクロフォン１０に対して、電源切換スイッチ５１２、バイアス抵抗５１３、音声信号線５６、及びマイクジャック５２を介して電力を供給する。なお、スイッチング素子５１１１としては、電界効果トランジスタやバイポーラトランジスタを採用することができる。
電源切換スイッチ５１２は、マイコン５１５からの指令に応じて、電源装置５１１から外部マイクロフォン１０への電力をＯＮまたはＯＦＦに切り換える。
バイアス抵抗５１３は、音声信号線５６に接続され、数ｋΩのものが使用される。これにより、バイアス抵抗５１３は、電源装置５１１から供給される電力の電圧を下げて、音声信号線５６及びマイクジャック５２を介して外部マイクロフォン１０へ電力を供給することとなる。
ＡＤＣ５１４は、音声信号線５６の信号電圧を適当なビット数で量子化した値を電圧値Ｖとしてマイコン５１５へ出力する。
【００２１】
図３は、電源供給装置５１のブロック図である。
マイコン５１５は、ＣＰＵ（Central Processing Unit）等を備え、外部マイクロフォン１０に対しての電力供給の制御を行う。このマイコン５１５は、図３に示すように、接続検出装置としての接続判定部５１５１と、スイッチ制御部５１５２と、電源制御部５１５３と、電圧値比較部５１５４と、メモリ５１５５とを備える。このマイコン５１５は、ＡＤＣ５１４から入力された電圧値Ｖに基づいて、電源切換スイッチ５１２のＯＮ又はＯＦＦを切り換える。また、マイコン５１５は、スイッチング素子５１１１を制御して、電源装置５１１の電源電圧を調整する。スイッチング素子５１１１の制御には、ＰＷＭ（Pulse−Width Modulation）信号を用いることができる。
【００２２】
このうち、メモリ５１５５は、ＲＯＭ（Read Only Memory）及びＲＡＭ（Random Access Memory）を備えて構成されている。このメモリ５１５５は、所定の基準電圧値Ｖ０（ダイナミックマイクかコンデンサマイクかを判別する基準となる電圧値）、及び音響装置５の制御に必要な各種プログラム等を記憶している。
【００２３】
接続判定部５１５１は、マイクジャック５２に外部マイクロフォン１０が接続されたか否かを判定する。外部マイクロフォン１０が接続されている場合には、スイッチ制御部５１５２に信号を出力する。接続されているか否かの判定方法は、マイクジャック５２に備えられた検出器（図示略）から出力される信号に基づいて、マイクジャック５２に外部マイクロフォン１０が接続されているか否かを判定している。
スイッチ制御部５１５２は、接続判定部５１５１から信号が入力されると、電源切換スイッチ５１２をＯＮに切り換える。ここで、電源制御部５１５３は、電源電圧が徐々に立ち上がるように、スイッチング素子５１１１に与えるＰＷＭ信号のデューティ比を制御して、なだらかに電源電圧を上昇させる。さらに、電圧値比較部５１５４は、ＡＤＣ５１４に電圧値Ｖを計測させる。
【００２４】
図４（Ａ）は、従来技術における電源電圧のグラフであり、図４（Ｂ）は、電源制御部５１５３により電圧が徐々に立ち上がるように調整された電源電圧のグラフである。
【００２５】
電源制御部５１５３は、電源切換スイッチ５１２がＯＮされると、音声信号線５６に供給される電源電圧を徐々に上昇させて、時間Ｔ経過後、電源電圧を所定の電圧に固定するので、図４（Ａ）に示すような電源電圧の急激な上昇は発生しない。
【００２６】
電圧値比較部５１５４は、電源切換スイッチ５１２がＯＮに切り換わると、ＡＤＣ５１４から取得した電圧値Ｖとメモリ５１５５に記憶された基準電圧値Ｖ０とを比較する。例えば、ダイナミックマイクは数百Ω、コンデンサマイクは数十ｋΩとインピーダンス値が大きく異なるので、電圧値Ｖによって、マイクジャック５２に接続されている外部マイクロフォン１０の種類を判別することができる。電圧値比較部５１５４は、電圧値Ｖが基準電圧値Ｖ０より小さい場合には、外部マイクロフォン１０がダイナミックマイクであると判別して、スイッチ制御部５１５２に電源切換スイッチ５１２をＯＮからＯＦＦにさせる。一方、電圧値比較部５１５４は、電圧値Ｖが基準電圧値Ｖ０より大きい場合には、外部マイクロフォン１０がコンデンサマイクであると判別して、電源切換スイッチ５１２をＯＮのままとする。
【００２７】
［電源供給処理］
図６は、本実施形態に係るプロジェクタ１の電源供給処理を示すフローチャートである。
プロジェクタ１の電源が投入されると、マイコン５１５の接続判定部５１５１は、マイクジャック５２に外部マイクロフォン１０が接続されているか否かを判定し、接続されている場合には、信号をスイッチ制御部５１５２に出力する（ステップＳ１）。スイッチ制御部５１５２は、信号が入力されないと、電源切換スイッチ５１２をＯＦＦのままとする（ステップＳ２）。この後は、ステップＳ１に戻り、マイクジャック５２に外部マイクロフォン１０が接続されるまで、ステップＳ１とステップＳ２のフローを繰り返す。
【００２８】
一方、スイッチ制御部５１５２は、信号が入力されると、電源切換スイッチ５１２をＯＮする（ステップＳ３）。そして、電源制御部５１５３は、スイッチング素子５１１１を制御して電源電圧を徐々に立ち上げる（ステップＳ４）。さらに、電圧値比較部５１５４は、ＡＤＣ５１４に電圧値Ｖを計測させて、電圧値Ｖを取得する（ステップＳ５）。電圧値比較部５１５４は、メモリ５１５５の基準電圧値Ｖ０を参照し、取得した電圧値Ｖと基準電圧値Ｖ０とを比較する（ステップＳ６）。電圧値比較部５１５４は、電圧値Ｖが基準電圧値Ｖ０より大きい場合には、電源切換スイッチ５１２をＯＮのままとし（ステップＳ７）、電圧値Ｖが基準電圧値Ｖ０より小さい場合には、スイッチ制御部５１５２に電源切換スイッチ５１２をＯＮからＯＦＦさせる（ステップＳ２）。この後は、ステップＳ１に戻り、上述したステップＳ１〜Ｓ７を繰り返すこととなる。
【００２９】
上述した第１実施形態のプロジェクタ１によれば、以下の効果がある。
プロジェクタ１は、電源切換スイッチ５１２を切り換えるマイコン５１５を備えるので、マイコン５１５の電圧値比較部５１５４は、計測された電圧値Ｖとメモリ５１５５に記憶される基準電圧値Ｖ０との比較結果に基づいて、スイッチ制御部５１５２に電源切換スイッチ５１２をＯＮまたはＯＦＦさせる。すなわち、電圧値Ｖは、外部マイクロフォン１０の種別を判別する基準となる基準電圧値Ｖ０よりも大きいか小さいかに応じて、マイコン５１５は、外部マイクロフォン１０の種別を判別できる。外部マイクロフォン１０がダイナミックマイクである場合には、電源切換スイッチ５１２をＯＦＦに切り換えることにより、音声信号線５６への電源供給を停止するので、外部マイクロフォン１０の故障を確実に防止することができる。
【００３０】
マイクジャック５２に外部マイクロフォン１０が接続されているか否かを検出する接続判定部５１５１と、電力供給がＯＮされた後の電源電圧を徐々に立ち上げる電源制御部５１５３とを備え、マイコン５１５は、外部マイクロフォン１０が接続されていると検出した場合に、電源切換スイッチ５１２をＯＮさせている。このことにより、マイクジャック５２に外部マイクロフォン１０が接続されている場合にのみ、外部マイクロフォン１０に電力を供給することができ、常時、電力を供給する必要がなく、電力を効率的に供給できる。また、電力を供給する際に、電源電圧を徐々に上昇させるので、急激な電圧変化による外部マイクロフォン１０の故障を確実に防止できる。
【００３１】
［第２実施形態］
図７は、本発明の第２実施形態に係るプロジェクタ１に備えられた音響装置５を示す回路図、図８は、電源供給装置５１のブロック図である。図の説明にあたって、前記実施形態と同一構成要素については、同一符号を付し、その説明を省略する。
本実施形態では、音響装置５は、第１実施形態で用いられたＡＤＣ５１４の代わりに、電圧レベル検出装置としてのオペアンプ（オペレーショナル・アンプリファイア）５１６と、ＮＰＮトランジスタ５１７（以下、トランジスタと記載）とを備える。
【００３２】
オペアンプ５１６は、音声信号線５６からのアナログ信号を増幅して、電圧値Ｖ´を出力する増幅器である。
トランジスタ５１７は、図７に示すように、Ｂ（ベース）、Ｅ（エミッタ）、及びＣ（コレクタ）の各端子を有し、Ｂ（ベース）は、オペアンプ５１６の出力端子に、Ｃ（コレクタ）は、プルアップ抵抗５１９を介して図示しない直流電流に、Ｅ（エミッタ）は、グランド（ＧＮＤ）に、それぞれ接続されている。Ｃ（コレクタ）は、さらに、信号線５１８を介して、マイコン５１５に接続されている。
【００３３】
トランジスタ５１７は、オペアンプ５１６から入力された電圧値Ｖ´に応じて、ＯＮまたはＯＦＦする。
すなわち、トランジスタ５１７のＢ（ベース）への入力電圧となる電圧値Ｖ´がトランジスタ５１７の閾値電圧値より大きい場合には、トランジスタ５１７がＯＮの状態となり、信号線５１８を介してマイコン５１５に入力する信号の電圧値ＶＣがローレベルとなる。
一方、トランジスタ５１７への入力電圧となる電圧値Ｖ´がトランジスタ５１７の閾値電圧値より小さい場合には、トランジスタ５１７がＯＦＦの状態となり、信号線５１８を介してマイコン５１５に入力する信号の電圧値ＶＣがハイレベルとなる。
【００３４】
図９は、本実施形態に係る電源供給装置５１の電源供給処理を示すフローチャートであり、第１実施形態と異なるフローについて説明する。
オペアンプ５１６は、音声信号線５６からのアナログ信号を増幅した電圧値Ｖ´をトランジスタ５１７のＢ（ベース）に入力する。トランジスタ５１７は、電圧値Ｖ´に応じた電圧値ＶＣをマイコン５１５に入力する（ステップＳ２１）。電圧値比較部５１５４は、メモリ５１５５から基準電圧値Ｖ０を読み出して、トランジスタ５１７から入力された電圧値ＶＣと基準電圧値Ｖ０とを比較する（ステップＳ２２）。この比較結果に基づいて、スイッチ制御部５１５２は、電圧値ＶＣが基準電圧値Ｖ０以上の場合には、電源切換スイッチ５１２をＯＮのままとする（ステップＳ２３）。
【００３５】
一方、電圧値ＶＣが基準電圧値Ｖ０より小さい場合には、スイッチ制御部５１５２は、電源切換スイッチ５１２をＯＦＦする（ステップＳ２）。この後は、ステップＳ１に戻り、上述したステップＳ１〜Ｓ４に加えて、ステップＳ２１〜Ｓ２３を繰り返すこととなる。
【００３６】
上述した第２実施形態のプロジェクタ１によれば、以下の効果がある。
プロジェクタ１は、音声信号線５６の電圧を増幅するオペアンプ５１６を備え、電圧値比較部５１５４は、オペアンプ５１６の出力する電圧値Ｖ´に基づき、トランジスタ５１７によって２値化された電圧値ＶＣと基準電圧値Ｖ０とを比較して、その結果に基づいて、スイッチ制御部５１５２に電源切換スイッチ５１２をＯＮまたはＯＦＦを切り換える信号を出力する。これにより、第１実施形態と同様に、外部マイクロフォン１０の種別を判別でき、この種別に応じて、電源切換スイッチ５１２のＯＮまたはＯＦＦを切り換えることができる。すなわち、外部マイクロフォン１０がダイナミックマイクである場合には、ダイナミックマイクへの電源供給を防止して、外部マイクロフォン１０の故障を確実に防止することができる。
【００３７】
［実施形態の変形］
なお、本発明を実施するための最良の構成、方法などは、以上の記載で開示されているが、本発明は、これに限定されるものではない。
例えば、前記各実施形態では、ＤＣ／ＤＣコンバータを用いて、音声信号線５６に供給する電源電圧をなだらかに立ち上がらせていたが、図５に示すようなＲＣ回路で構成された積分器Ｉを用いて電源電圧をなだらかに立ち上がらせてもよい。この構成によれば、マイコン５１５は電源電圧の立ち上がりを制御しないため、電源制御部５１５３が不要となり、回路規模や制御プログラムを小さくすることができる。なお、積分器Ｉは、受動型のＲＣ回路に限定されず、オペアンプを用いた能動型の積分器など、各種の構成を採用することができる。
【００３８】
本発明は、マイクジャックを備えたプロジェクタに利用できる。
【図面の簡単な説明】
【００３９】
【図１】本発明の第１実施形態に係るプロジェクタを示すブロック図。
【図２】前記プロジェクタに備えられた音響装置を示す回路図。
【図３】前記音響装置に備えられた電源供給装置を示すブロック図。
【図４】前記プロジェクタの電源を投入してからの電圧の変化を示すグラフ。
【図５】ＲＣ回路による積分器を示す回路図。
【図６】前記プロジェクタの電源供給処理を示すフローチャート。
【図７】本発明の第２実施形態に係る音響装置を示す回路図。
【図８】前記音響装置に備えられた電源供給装置を示すブロック図。
【図９】前記プロジェクタの電源供給処理を示すフローチャート。
【符号の説明】
【００４０】
１…プロジェクタ、２…光源装置、３…光変調装置、４…投射レンズ（投射光学装置）、５…音響装置、１０…外部マイクロフォン、５１…電源供給装置、５２…マイクジャック、５６…音声信号線、５１１…電源装置、５１２…電源切換スイッチ（切換装置）、５１４…Ａ／Ｄコンバータ（電圧レベル検出装置）、５１５…マイコン（制御装置）、５１６…オペアンプ（電圧レベル検出装置）、５１１１…スイッチング素子、５１５１…接続判定部（接続検出装置）、５１５３…電源制御部、Ｉ…積分器。
【図１】
2010124098.tif 000003
【図２】
2010124098.tif 000004
【図３】
2010124098.tif 000005
【図４】
2010124098.tif 000006
【図５】
2010124098.tif 000007
【図６】
2010124098.tif 000008
【図７】
2010124098.tif 000009
【図８】
2010124098.tif 000010
【図９】
2010124098.tif 000011